(57)【要約】【課題】用紙センサの発光手段の劣化、搬送手段の状態の変化などによって用紙を正確に検出することができなくなる。【解決手段】液滴を吐出する記録ヘッド４と、用紙１１を搬送する搬送ベルト１２と、用紙１１の有無を検知する発光手段２２及び受光手段２３で構成される用紙センサ２１と、用紙センサ２１で用紙１１を読取ったときのセンサ出力の測定結果に基づいて、センサ出力が所要の値に達するように発光手段２２の発光輝度を調整する輝度設定回路２１３と、輝度設定回路２１３で調整された輝度で発光手段２２を発光させ、搬送ベルト１２を読取ったときのセンサ出力と用紙１１を読取ったときのセンサ出力とに基づいて用紙１１の有無を判別する基準値を設定する基準値設定回路２１２とを備えている。【選択図】図６
2009196752.tif 000002
【特許請求の範囲】
【請求項１】
液滴を吐出する記録ヘッドと、
用紙を搬送する搬送手段と、
前記用紙の有無を検知する発光手段及び受光手段で構成される光学センサと、
前記光学センサで前記用紙を読取ったときのセンサ出力の測定結果に基づいて、前記センサ出力が所要の値に達するように前記発光手段の発光輝度を調整する輝度調整手段と、
前記調整手段で調整された輝度で前記発光手段を発光させ、用紙外を読取ったときのセンサ出力と前記用紙を読取ったときのセンサ出力とに基づいて前記用紙の有無を判別する基準値を設定する基準値設定手段と、
を備えていることを特徴とする画像形成装置。
【請求項２】
請求項１に記載の画像形成装置において、前記搬送手段は前記用紙を搬送する搬送ベルトを備え、前記基準値設定手段は前記搬送ベルト全体について前記光学センサによる読取りを行い、得られたセンサ出力の内の最大値と前記用紙を読取ったときのセンサ出力とに基づいて前記基準値を設定することを特徴とする画像形成装置。
【請求項３】
請求項１又は２に記載の画像形成装置において、前記光学センサを予め定めた輝度基準値の輝度で発光させたときのセンサ出力が予め定めたセンサ出力異常検出基準値以下であるときにはセンサ異常と判別する手段を備えていることを特徴とする画像形成装置。
【請求項４】
請求項１ないし３のいずれかに記載の画像形成装置において、前記搬送手段は前記用紙を搬送する搬送ベルトを備え、前記搬送ベルト全体について前記光学センサによる読取りを行い、得られたセンサ出力が予め定めたベルト異常検出基準値を超えているときにはベルト異常と判別する手段を備えていることを特徴とする画像形成装置。
【発明の詳細な説明】
【技術分野】
【０００１】
本発明は画像形成装置に関し、特に光学センサからなる用紙検知手段を備える画像形成装置に関する。
【背景技術】
【０００２】
一般に、プリンタ、ファックス、コピア、プロッタ、或いはこれらの内の複数の機能を複合した画像形成装置（画像記録装置）としては、例えば、インクの液滴を吐出する液体吐出ヘッドで構成した記録ヘッドを備え、媒体（以下「用紙」ともいうが材質を限定するものではなく、また、被記録媒体、記録媒体、転写材、記録紙なども同義で使用する。）を搬送しながら、インク滴を用紙に付着させて画像形成（記録、印刷、印写、印字も同義語で用いる。）を行なうものがある。
【０００３】
プリンタ、ファクシミリ、複写装置、プロッタ、これらの複合機等の画像形成装置として、例えばインク液滴を吐出する記録ヘッドを用いた液体吐出記録方式の画像形成装置としてインクジェット記録装置などが知られている。この液体吐出記録方式の画像形成装置は、記録ヘッドからインク滴を、搬送される用紙に対して吐出して、画像形成（記録、印字、印写、印刷も同義語で使用する。）を行なうものであり、記録ヘッドが主走査方向に移動しながら液滴を吐出して画像を形成するシリアル型画像形成装置と、記録ヘッドが移動しない状態で液滴を吐出して画像を形成するライン型ヘッドを用いるライン型画像形成装置がある。
【０００４】
このような画像形成装置において、用紙を検知する用紙検知手段として発光手段（発光素子）と受光手段（受光素子）とで構成される光学センサ（反射型フォトセンサ）が用いられ、受光手段の出力レベルの差異により、用紙と搬送手段（搬送ローラや搬送ベルトなど）との出力レベルの差異を測定し、印刷開始位置や用紙幅などを検出するようにしている。
【０００５】
このような反射型フォトセンサによる検出精度を向上させるため、例えば特許文献１には、センサの受光手段の出力を測定して、測定結果に応じて基準電圧を設定することが記載されている。
【特許文献１】特開２００７−１５３９６号公報
【０００６】
また、特許文献２には、発光手段の出力を定電流制御し、受光手段の出力を測定して、基準電圧を設定することが記載されている。
【特許文献２】特開２００７−９１４６７号公報
【０００７】
また、特許文献３、４には、反射型フォトセンサを使用して搬送部の状態を管理することが記載されている。
【特許文献３】特開２００６−１８７９９０号公報
【特許文献４】特開２００６−１０３１５５号公報
【発明の開示】
【発明が解決しようとする課題】
【０００８】
上述したように反射型フォトセンサを使用する場合、発光手段の経時劣化や個々の発光手段の固体ばらつきがあること、センサが搬送手段に対向するときの受光手段の出力レベルと検出する用紙に対向するときの受光手段の出力レベルから用紙有無判別基準となる基準レベル（基準値）を設定していることから、発光手段の状態、搬送ローラや搬送ベルトの状態、用紙の状態で、検出精度が低下することになり、その結果、印刷開始位置がずれたり、搬送手段に対して液滴を着弾させたり、搬送手段の異常による影響で印刷に支障を生じるなどの課題がある。
【０００９】
また、センサや搬送ベルトの状態を管理しないと、センサがミストによって汚れ、検出レベルが低下した状態で使用することによって用紙検出ができなくなったり、あるいは、搬送ベルトに付着した紙粉やミストによる汚れ、擦れ等で搬送ベルトに異常が生じた場合に用紙の誤検知が発生し、用紙外（搬送ベルト上）に印字を行ってしまうという問題がある。搬送ベルトが汚れると用紙を汚してしまうことになるという課題もある。
【００１０】
本発明は上記の光学センサの経時劣化という課題に鑑みてなされたものであり、経年劣化による発光手段や搬送手段の変化による検出精度の低下を抑制することを目的とする。
【課題を解決するための手段】
【００１１】
上記の課題を解決するため、本発明に係る画像形成装置は、
液滴を吐出する記録ヘッドと、
用紙を搬送する搬送手段と、
前記用紙の有無を検知する発光手段及び受光手段で構成される光学センサと、
前記光学センサで前記用紙を読取ったときのセンサ出力の測定結果に基づいて、前記センサ出力が所要の値に達するように前記発光手段の発光輝度を調整する輝度調整手段と、
前記調整手段で調整された輝度で前記発光手段を発光させ、用紙外を読取ったときのセンサ出力と前記用紙を読取ったときのセンサ出力とに基づいて前記用紙の有無を判別する基準値を設定する基準値設定手段と、
を備えている構成とした。
【００１２】
ここで、前記搬送手段は前記用紙を搬送する搬送ベルトを備え、前記基準値設定手段は前記搬送ベルト全体について前記光学センサによる読取りを行い、得られたセンサ出力の内の最大値と前記用紙を読取ったときのセンサ出力とに基づいて前記基準値を設定する構成とできる。
【００１３】
また、前記光学センサを予め定めた輝度基準値の輝度で発光させたときのセンサ出力が予め定めたセンサ出力異常検出基準値以下であるときにはセンサ異常と判別する手段を備えている構成とできる。
【００１４】
また、前記搬送手段は前記用紙を搬送する搬送ベルトを備え、前記搬送ベルト全体について前記光学センサによる読取りを行い、得られたセンサ出力が予め定めたベルト異常検出基準値を超えているときにはベルト異常と判別する手段を備えている構成とできる。
【発明の効果】
【００１５】
本発明に係る画像形成装置によれば、光学センサで用紙を読取ったときのセンサ出力の測定結果に基づいて、センサ出力が所要の値に達するように発光手段の発光輝度し、調整された輝度で発光手段を発光させ、用紙外を読取ったときのセンサ出力と用紙を読取ったときのセンサ出力とに基づいて用紙の有無を判別する基準値を設定する構成としたので、センサの劣化、搬送手段の変化による検出精度の低下を抑制できる。
【発明を実施するための最良の形態】
【００１６】
以下、本発明の実施の形態について添付図面を参照して説明する。まず、本発明を適用する画像形成装置としてのインクジェット記録装置の概要について図１及び図２を参照して説明する。なお、図１は同インクジェット記録装置の概略構成を示す平面説明図、図２は同じく正面説明図である。
このインクジェット記録装置は、図示しない左右の側板に横架した主ガイドロッド１及び従ガイドロッド２でキャリッジ３を保持し、主走査モータ５によって、駆動プーリ６と従動プーリ７間に渡したタイミングベルト８を介して主走査方向に移動走査する。
【００１７】
このキャリッジ３には、イエロー（Ｙ）、シアン（Ｃ）、マゼンタ（Ｍ）、ブラック（Ｋ）の各色のインク滴を吐出するための液体吐出ヘッドからなる記録ヘッド４ａ、４ｂ（区別しないときは「記録ヘッド４」という。）を複数のノズルからなるノズル列を主走査方向と直交する副走査方向に配列し、インク滴吐出方向を下方に向けて装着している。
【００１８】
記録ヘッド４は、それぞれ２つのノズル列を有し、記録ヘッド４ａの一方のノズル列はブラック（Ｋ）の液滴を、他方のノズル列はシアン（Ｃ）の液滴を、記録ヘッド４ｂの一方のノズル列はマゼンタ（Ｍ）の液滴を、他方のノズル列はイエロー（Ｙ）の液滴を、それぞれ吐出する。
【００１９】
記録ヘッド４を構成する液体吐出ヘッドとしては、圧電素子などの圧電アクチュエータ、発熱抵抗体などの電気熱変換素子を用いて液体の膜沸騰による相変化を利用するサーマルアクチュエータ、温度変化による金属相変化を用いる形状記憶合金アクチュエータ、静電力を用いる静電アクチュエータなどを、液滴を吐出するための圧力を発生する圧力発生手段として備えたものなどを使用できる。
【００２０】
一方、用紙１１を搬送するために、用紙１１を静電吸着して記録ヘッド４に対向する位置で搬送するための搬送手段である搬送ベルト１２を備えている。この搬送ベルト１２は、無端状ベルトであり、搬送ローラ1３とテンションローラ１４との間に掛け渡されて、ベルト搬送方向（副走査方向）に周回するように構成し、周回移動しながら図示しない帯電ローラによって帯電（電荷付与）される。
【００２１】
この搬送ベルト１２としては、１層構造のベルトでも良く、又は複層（２層以上の）構造のベルトでもよい。１層構造の搬送ベルトの場合には、用紙や帯電ローラに接触するので、層全体を絶縁材料で形成している。また、複層構造の搬送ベルトの場合には、用紙や帯電ローラに接触する側は絶縁層で形成し、用紙や帯電ローラと接触しない側は導電層で形成することが好ましい。
【００２２】
また、搬送ベルト１２は、副走査モータ１６によってタイミングベルト１７及びタイミングプーリ１８を介して搬送ローラ１３が回転駆動されることによって、副走査方向に周回移動する。
【００２３】
そして、キャリッジ３の一側部には搬送ベルト１２で搬送される用紙１１を検知する光学センサとしての反射型フォトセンサからなる用紙センサ２１が設けられている。反射型フォトセンサ（用紙センサ）２１は、図３に示すように、発光手段（発光部、投光部）２２と受光手段（受光部）２３で構成されており、発光部２２からの射出光（照射光）２４を検出対象物（用紙１１、搬送ベルト１２）に照射し、検出対象物からの反射光２５を受光部２３で受光し、光量に基づいたレベルを出力（これを「センサ出力」又は「受光出力」という。）する構成となっている。ここで、発光部２２から同レベルで射出光を照射した場合、図２及び図３（ｂ）に示すようにセンサ２１が用紙１１に対向しているとき（用紙１１を読取るとき）には、白素材の用紙１１から反射光２５が強くセンサ出力は高くなり、図１及び図３（ａ）に示すようにセンサ２１が搬送ベルト１２に対向しているとき（搬送ベルト２１を読取るとき）には、黒素材の搬送ベルト１２からの反射光２５が弱くセンサ出力は低くなるので、センサ出力のレベルの差異により用紙１２の有無を検知することができる。
【００２４】
次に、このインクジェット記録装置の制御部の概要について図４の機能ブロック図を参照して説明する。
この制御部１００は、輝度調整手段、基準値設定手段、異常判別手段などを兼ねた、装置全体の制御を司る、ＣＰＵ、ＲＯＭ、ＲＡＭなどで構成される主制御部１０１、ＲＡＭ１０２、ＲＯＭ１０３、印字制御部１０４、ホストＩ／Ｆ１０５、Ｉ／Ｆ１０６、１０７を含み、このインクジェット記録装置全体の制御を行うプリンタコントローラ１００と、記録ヘッド４を駆動するヘッドドライバ１１１と、主走査モータ５及び搬送ローラ１３を回転駆動する副走査モータ１５を駆動するドライバ１１２と、給紙クラッチ１６をＯＮ／ＯＦＦするドライバ１１３などを備え、主制御部１０１にはキャリッジ３の位置を検出するリニアエンコーダ及び搬送ベルト１２の位置を検出するロータリエンコーダを含むエンコーダ１１５、前述した用紙を検知する用紙センサ２１などの各種センサからの検知信号を入力する。
【００２５】
プリンタコントローラ１００のＩ／Ｆ１０５を通じて、パーソナルコンピュータ等の情報処理装置、イメージスキャナなどの画像読み取り装置、デジタルカメラなのでの撮像装置などのホスト側からの印刷データ等がケーブルあるいはネットを介して受信される。ＲＡＭ１０２は各種バッファ及びワークメモリ等として使用されて各種データが記憶される。ＲＯＭ１０３には主制御部１０１によって実行する各種制御ルーチン、フォントデータ及びグラフィック関数、各種手続きなどが記憶されている。印刷制御部１０４は記録ヘッド２４への駆動波形を発生させる駆動信号発生回路を含み、ドットパターンデータ（ビットマップデータ）に展開された印字データ及び駆動波形等をＩ／Ｆ１０６を介してヘッドドライバ１１１に送出する。
【００２６】
主制御部１０１は用紙検出センサ１１７からの検出信号に基づいて給紙制御を行う。また、主制御部１０１はエンコーダ１１５の出力信号に基づいてキャリッジ３の主走査方向の位置を検出してキャリッジ３の停止位置制御を行い、また、用紙センサ３１の検知信号に基づいて用紙の先端位置検知及び搬送ベルト１２上での用紙の有無の検出を行う。
【００２７】
この主制御部１０１は、Ｉ／Ｆ１０５に含まれる受信バッファ内の印刷データを読み出して解析し、この解析結果（中間コードデータ）をＲＡＭ１０２の所定のエリアに記憶し、記憶した解析結果からＲＯＭ１０３に格納したフォントデータを用いて画像出力するためのドットパターンデータを生成し、ＲＡＭ１０２の異なる所定のエリアに再び記憶する。なお、ホスト（データ処理装置）側のプリンタドライバで画像データをビットマップデータに展開してこの記録装置に転送する場合には、単にＲＡＭ１０２に受信したビットマップの画像データを格納する。
【００２８】
そして、主制御部１０１は、記録ヘッド４の１行分に相当するドットパターンデータが得られると、この１行分のドットパターンデータを、発信回路からのクロック信号に同期してＩ／Ｆ１０６を介してヘッドドライバ１１１にシリアルデータで送出し、また所定のタイミングでラッチ信号をヘッドドライバ１１１に送出する。
【００２９】
次に、主制御部の輝度調整手段及び基準値設定手段を含むセンサ検出回路の一例について図５のブロック説明図を参照して説明する。
先ず、用紙センサ２１は、ＬＥＤからなる発光部２２とフォトトランジスタからなる受光部２３で構成される。発光部２２に対しては、ＯＰアンプ２６、ベース抵抗２７、トランジスタ２８及び接地抵抗２９で構成される回路によって定電流制御を行い、また、受光部２３を構成するフォトトランジスタは受光された輝度に対応したコレクト電流を発生する。
【００３０】
一方、主制御部１０１は、ＣＰＵ２０１によって制御されるデジタル制御部２０３、デジタル制御部２０３で設定される用紙有無判別の基準値や輝度のデータを格納する不揮発性メモリ（ＮＶＲＡＭ）２０２、用紙センサ２１（反射型フォトセンサ）に対する入出力を行うアナログ制御部２０４を有している。
【００３１】
そして、用紙センサ２１の受光部２３からの出力（センサ出力）はアナログ制御部２０４のＡ／Ｄコンバータ２２１によってＡ／Ｄ変換されてデジタル制御部２０３のセンサ検出回路２１１、基準値設定手段としての基準値設定回路２１２、輝度調整手段を兼ねた輝度設定回路２１３に与えられる。センサ検出回路２１１は、入力されたセンサ出力と基準値設定回路２１２に設定された用紙有無判別用の基準値とを比較して用紙の有無を検出する。基準値設定回路２１２は、用紙有無判別の基準値を設定するとともに、センサ出力が基準値に達しているか否かを判別する。輝度設定回路２１３は、用紙センサ２１の発光部２２からの射出光の輝度を設定し、この輝度に応じた電圧がアナログ制御部２０４のＤ／Ａコンバータ２２２でＤ／Ａ変換されて上述した定電流制御回路のＯＰアンプ２６に与えられる。
【００３２】
次に、この画像形成装置における主制御部による輝度調整及び基準値設定処理について図６に示すフロー図を参照して説明する。これらの処理は主制御部に格納されたプログラムによって実行される。
先ず、シーケンス（処理）を開始すると、輝度設定（調整）シーケンスを実行する。この輝度設定シーケンスでは、用紙センサ２１が用紙１１を検知可能な位置へキャリッジ３を移動し、搬送ベルト１２を回転駆動して用紙センサ２１による検出位置（検知位置）へ用紙１１を搬送する。
【００３３】
その後、輝度設定読取り回数を設定し、輝度を設定して、当該輝度で用紙センサ２１の発光部２２を発光させ、受光部２３からのセンサ出力を測定する。このとき、測定したセンサ出力のレベルが用紙有無判別のレベルとして適切な出力レベルであるか否かを判別し、適切な出力レベルでなければ、適切な出力レベルとなるまで、輝度設定で輝度を調整（変更）しながら、各輝度について用紙センサ２１のセンサ出力の測定を行う処理を繰り返す。
【００３４】
そして、センサ出力の出力レベルが適切な値になれば、そのとき設定している輝度の値を輝度設定値としてＮＶＲＡＭ２０２に記憶し、基準値設定シーケンスに移行する。
【００３５】
この基準値設定シーケンスでは、輝度設定シーケンスで設定された輝度設定値の輝度で用紙センサ２１を発光させて用紙有無判別の基準値を設定する。まず、用紙センサ２１が搬送ベルト１２を読取り可能になるまで用紙１２を搬送する。このときの状態を基準値設定シーケンスにおける搬送ローラ１３（搬送ベルト１２）の初期位置として内部に記憶する。
【００３６】
そして、キャリッジ３を移動させて、搬送ベルト１２の一端に用紙センサ２１を移動した後、キャリッジ３を搬送ベルト１２の他端側へ移動走査しながら、用紙センサ２１のセンサ出力を測定する。キャリッジ３の他端への移動完了後、搬送ベルト２１を所定量移動させ、搬送ベルト１２の上記記憶した初期位置になるまで、上述したキャリッジ３の走査と用紙センサ２１のセンサ出力の測定を繰り返し実行する。これにより、搬送ベルト１２全体について用紙センサ２１からのセンサ出力が得られる。
【００３７】
次いで、搬送ベルト１２全体についてのセンサ出力の測定結果のうちの最も出力の高いデータ（最大値のデータ）と用紙１１を読取ったときのセンサ出力のデータから適切な基準値を算出し、算出した基準値を基準値設定値としてＮＶＲＡＭ２０２に記憶する。
【００３８】
これらの輝度調整及び基準値設定シーケンスは、再設定が必要になったときに適宜実行する。
【００３９】
このような処理を行うことによって、用紙センサ２１が経時的に劣化して発光部２２の輝度が低下したり、搬送ベルト１２の表面状態が変化したりしていた場合でも、用紙センサ２１の検出精度の低下を抑制することができる。
【００４０】
つまり、反射型フォトセンサからなる用紙センサ２１を構成する発光部２２の例えばＬＥＤは、経年変化に伴って供給電流に対する発光特性の劣化による輝度の低下が生じ、輝度に対してセンサ出力が変化するために、輝度の低下によるセンサ出力の低下が生じる。
【００４１】
この場合、従前、発光手段の輝度の低下によって発生するセンサ出力低下による検出精度の低下に対して、基準値を低い値に設定することや受光側の出力をゲインアンプで増幅してセンサの精度を保つ制御を行っているが、出力の落ちた状態でスレッシュレベル（基準値）を下げる場合、ＧＮＤノイズによる影響で誤検出する可能性がある。また、ゲインアンプで出力を増幅する制御についても、ＧＮＤノイズを同時に増幅してしまうため、輝度低下前の精度を保つことは難しい。
【００４２】
例えば、図７（ａ）に示すように、ＬＥＤ（発光手段）劣化前の状態では、用紙を検出したときの受光部２３の出力（センサ出力）のレベル（用紙検出レベル）、用紙外（搬送ベルト）を検出したときのセンサ出力のレベル（用紙否検出レベル）とは十分なレベル差があり、用紙有無判別の基準値のレベルは、ＧＮＤノイズの影響を受けないレベルに設定されている。
【００４３】
ここで、図７（ｂ）に示すように、ＬＥＤ（発光手段）劣化によって輝度が低下し、用紙検出レベル、用紙否検出レベルが低下した場合、基準値レベルを下げると、基準値がＧＮＤノイズレベルと近接することになり、誤検知の可能性が高くなる。また、ゲインアンプで出力を増幅した場合も、ＧＮＤノイズを同時に増幅してしまうことから、前記同様基準値がＧＮＤノイズレベルと近接して誤検知の可能性が高まる。
【００４４】
そこで、本発明では光学センサのセンサ出力を測定し、出力測定結果が所定のレベル（例えば基準値）に達していないときには、発光手段から射出する射出光の輝度を調整するようにしているので、経年劣化による発光手段や搬送手段の変化による検出精度の低下を抑制できる。
【００４５】
この場合、従前からキャリッジを停止した状態で用紙外の測定を実施し、その時の受光出力の結果に応じて基準値を設定することが行われているが、用紙外の状態により、測定した箇所と測定していない箇所の出力が大きく異なる可能性があるため、基準値の精度に問題がある。例えば、図８に示すように、受光出力は用紙外（搬送ベルト）の状態に応じて変動するため、用紙外の一点の測定ポイントで測定を行って基準値を設定すると、用紙外の受光出力を下回る基準値が設定されるおそれがある。
【００４６】
そこで、本実施形態では、図９に示すように、用紙外の全体（搬送ベルトの全面）についてセンサ出力の読取り（測定）を行って、その内のセンサ出力の最大値に基づいて基準値を設定するようにしている。これによって、誤検知を防止できる。
【００４７】
また、従前から発光手段の定電流制御が行われているが、定電流制御を行わない場合には、図１０（ａ）に示すように輝度のばらつきによるセンサ出力の変動が大きくなるのに対し、定電流制御を行うことで、図１０（ｂ）に示すように輝度のばらつきによるセンサ出力の変動を低減できる。
【００４８】
次に、本発明の他の実施形態における主制御部１０１の異常判別手段を含むセンサ検出回路について図１１に示すブロック図を参照して説明する。
基準値設定回路３０１は、搬送ベルト１２の異常検出に用いる用紙検出基準値３０２、センサ３１の異常検出に用いる輝度基準値３０３、センサ３１の異常検出に用いる受光部出力基準値３０４をそれぞれ設定する。
【００４９】
受光部出力測定回路３０５は、センサ２１の受光部２３の出力（センサ出力）を測定する。搬送ベルト異常検出回路３０６は受光部出力測定回路３０５の測定結果と用紙検出基準値３０２に基づいて搬送ベルト１２の異常を検出する。センサ異常検出回路３０７は受光部出力測定回路３０５の測定結果と輝度基準値３０３、受光部出力基準値３０４に基づいてセンサ２１の異常を検出する。輝度設定回路３０８はセンサ２１の発光部２２からの射出光の輝度を設定する。
【００５０】
異常処理回路３１０は、搬送ベルト異常検出回路３０６、センサ異常検出回路３０７が異常検出をしたときに、ＲＡＭ１０２、操作／表示部（オペレーションパネル）１１８、主走査モータ５及び副走査モータ１６に対する所定の処理、ホスト側への通知などの処理を行う。
【００５１】
このように構成したこの実施形態における搬送ベルト異常検出について説明する。
先ず、用紙１１の検出は、前述したが、図１２に示すようにセンサ出力と予め定めた用紙有無判別用の基準値（この実施形態では「用紙検出基準値」という。）とを比較して行うが、図１３に示すように、搬送ベルト１２にミストや紙粉の付着、傷等が発生したとき、搬送ベルト１２の表面をセンサ２１で読取ったときに、ミストや紙粉の付着、傷等の影響で、用紙非検出時のセンサ出力のレベルが用紙検出基準値を超えてしまうことがある。この結果、用紙の誤検出が発生し、用紙外での印字動作や、印刷開始位置のずれによる印刷精度の低下が発生する。
【００５２】
この場合、誤検出の回避として、図１４に示すように、用紙非検出時の搬送ベルトの状態を測定し、そのときのセンサ出力よりも基準値を高く設定することが考えられるが、搬送ベルトの異常時の状態によっては、図１５に示すように、用紙非検出レベルが用紙検出レベルを超えてしまうことがあるため、確実に誤検出を防止することができない。また、図１６に示すように、搬送ベルト１２の異常時の状態によっては、用紙非検出レベルは基準値より低いが、搬送ベルトがミストで汚れていることがあり、この場合、用紙の誤検出、用紙外での印字動作といった不具合は生じないものの、用紙の裏面側にインクが付着して用紙を汚してしまうおそれがある。
【００５３】
そこで、本実施形態では、図１７に示すように、用紙検出基準値より低いレベルに搬送ベルト異常基準値を設定する。搬送ベルト異常基準値は、用紙検出基準値より低いレベルで設定され、用紙無しにおいて測定された受光部２３の値（搬送ベルトの状態）が搬送ベルト異常基準値を超えているときには搬送ベルト異常と判断する。この搬送ベルト異常基準値は、所望のタイミングで値の変更が可能なものであり、事前評価等で集積された、搬送ベルト異常時、正常時のセンサ出力データ（読取りデータ）を用いて、正常時の最大読み取り値と異常時の最小読み取り値の間に搬送ベルト異常基準値を設定し、ＮＶＲＡＭ２０２への記憶や、主制御部１０１の内部レジスタへの設定で保存する。
【００５４】
そこで、搬送ベルトの異常検出処理について図１８に示すフロー図を参照して説明する。
搬送ベルト異常検出シーケンスが開始されると、用紙１１を搬送し、搬送ベルト１２上に用紙１２が無い状態とする。そして、図１９にも示すように、キャリッジ３を搬送ベルト１２の一端側に移動し、この時の副走査位置をシーケンス開始位置として内部に記憶する。次いで、図２０にも示すように、センサ２１の受光部２３の出力を測定しながら、キャリッジ３を搬送ベルト１２の他端側へ走査する。
【００５５】
そして、キャリッジ３の一走査とセンサ２１による読取りが終了すれば、搬送ベルト１２１を所定量移動させ、搬送ベルト１２の位置が記憶した初期位置になるまで、キャリッジ３による走査とセンサ２１による読取りを繰り返し実行して、搬送ベルト１２の全面についてセンサ２１による読取りを行う。
【００５６】
その後、搬送ベルト１２の全面を読取った結果としてのセンサ２１の受光部出力を搬送ベルト異常検出基準値と比較して、受光部出力が搬送ベルト異常検出基準値を超えていなければ正常処理とし、ユーザやサポートへ対して異常がない旨を通知する。これに対して、受光部出力が、搬送ベルト異常検出基準値を超えていれば、異常処理として、ユーザやサポートへ対して、異常内容を通知し、異常出力が検出されたときの主走査及び副走査の位置情報、測定した出力レベル等をＮＶＲＡＭ２０２に記憶し、搬送ベルト異常検出シーケンスを終了する。
【００５７】
次に、センサ異常検出について説明する。図２１に示すように、用紙センサ２１を構成する反射型フォトセンサの発光部２２や受光部２３にミスト４００や紙粉が付着し、傷等が生じると、図２２に示すように、センサ出力の出力レベル（感度）が落ちることになり、用紙を正確に検出することができなくなる。
【００５８】
そこで、ここでは、図２３に示すように、輝度基準値及び受光部出力基準値を設定し、輝度基準値での受光部２３の出力レベルを測定し、受光部出力が受光部出力基準値に達していない場合にはセンサ２１の異常（センサ異常）と判別する。
【００５９】
ここで、輝度基準値及び受光部出力基準値は、所望のタイミングで値の変更が可能なものであり、設定する値は、事前評価等で集積された、センサ異常時、及び正常時の受光部の読み取りデータから決定する。例えば、事前評価等で集積された、センサ異常時及び正常時の受光部の各読み取りデータを用い、正常時の最小読み取り値と異常時の最大読み取り値の間に基準値を設定する。設定された基準値は、ＮＶＲＡＭ２０２に記憶し、あるいは、主制御部１０１の内部レジスタに保存する。
【００６０】
そこで、センサ異常検出処理について図２４に示すフロー図を参照して説明する。
このセンサ異常検出シーケンスを開始すると、図２５に示すように、センサ２１が用紙を読み取り可能な位置キャリッジ３を移動し、用紙１１をセンサ２１による読み取り位置に搬送する。そして、センサ２１の輝度を輝度基準値に設定し、受光部２３の出力を測定する。ここで、受光部２３の出力（受光部出力）が、受光部出力基準値を超えているか否かを判別し、輝度基準値による輝度でセンサ２１の発光部２２を発光させたときにセンサ出力が受光部出力基準値を超えていなければ、正常処理としてユーザやサポートへ異常がないことを通知する。これに対して、受光部出力が受光部出力基準値を超えているときには、異常処理としてユーザやサポートへ異常内容を通知し、測定した出力レベル等をＮＶＲＡＭ２０２に記憶し、センサ異常検出シーケンスを終了とする。
【００６１】
上述した搬送ベルト異常検出処理やセンサ異常検出処理で検出した結果、すなわち、搬送ベルト１２、センサ２１の正常、異常情報は、オペレーションパネル（操作／表示部１１８）、ホスト側の例えばパーソナルコンピュータに送信して表示し、ユーザに通知することで、搬送ベルト１２の清掃、サポートへの連絡等を促すことができるようになる。
【００６２】
また、ＮＶＲＡＭ２０２などの不揮発性メモリに格納しておくことで、異常が検出された位置情報が記憶されているため、ユーザ及びサポートの指示で、搬送ベルト上の異常が発生した位置を、目視が容易な位置へ自動で移動させることもでき、サポート性、メンテナンス性の向上を図れ、工場出荷時の検査にも役立てることができる。また、異常検出処理は、ユーザ及びサポートの指示で任意に実行可能である構成とし、あるいは、印刷枚数管理や時間管理等を行って自動で実施する構成とすることもできる。
【００６３】
なお、上記各実施形態における輝度調整（輝度設定）処理や基準値設定処理、搬送ベルトやセンサの異常判別処理はコンピュータに行わせるプログラムは、記憶媒体に格納して、あるいはダウンロードによって提供することができる。また、用紙センサの輝度調整（輝度設定）処理や基準値設定処理、搬送ベルトやセンサの異常判別処理は、画像形成方法として構築することもできる。
【図面の簡単な説明】
【００６４】
【図１】本発明を適用する画像形成装置としてのインクジェット記録装置の概略構成を示す平面説明図である。
【図２】同じく正面説明図である。
【図３】用紙センサの説明に供する説明図である。
【図４】同じく制御部の概要を説明するブロック説明図である。
【図５】同じくセンサ出力回路を説明するブロック説明図である。
【図６】輝度調整及び基準値設定処理の説明に供するフロー図である。
【図７】センサの劣化による誤検出の説明に供する説明図である。
【図８】従前の測定ポイントと基準値の設定の説明に供する説明図である。
【図９】本発明の測定ポイントと基準値の設定の説明に供する説明図である。
【図１０】定電流制御の説明に供する説明図である。
【図１１】本発明の他の実施形態における異常判別手段を含むセンサ検出回路の説明に供するブロック説明図である。
【図１２】用紙検出基準の設定の説明に供する説明図である。
【図１３】搬送ベルトへの紙粉等の付着によるセンサ出力の変動の説明に供する説明図である。
【図１４】同じく誤検出回避のために用紙検出基準を高くする対応の説明に供する説明図である。
【図１５】同じく用紙検出基準を高くするだけでは対応できない場合の説明に供する説明図である。
【図１６】搬送ベルトへの紙粉等の付着によるセンサ出力の変動の説明に供する説明図である。
【図１７】本発明における搬送ベルト異常検出基準値の設定の説明に供する説明図である。
【図１８】搬送ベルト異常検出処理の説明に供するフロー図である。
【図１９】図１８の処理の説明に供する機構部の平面説明図である。
【図２０】同じく機構部の他の状態の平面説明図である。
【図２１】センサの汚れの説明に供する説明図である。
【図２２】センサが正常である場合と異常な場合のセンサ出力の例を示す説明図である。
【図２３】センサ異常の検出基準値の説明に供する説明図である。
【図２４】センサ異常検出処理の説明に供するフロー図である。
【図２５】図２４の処理の説明に供する機構部の平面説明図である。
【符号の説明】
【００６５】
３…キャリッジ
４…記録ヘッド
１１…被記録媒体（用紙）
１２…搬送ベルト
２１…用紙センサ
【図１】
2009196752.tif 000003
【図２】
2009196752.tif 000004
【図３】
2009196752.tif 000005
【図４】
2009196752.tif 000006
【図５】
2009196752.tif 000007
【図６】
2009196752.tif 000008
【図７】
2009196752.tif 000009
【図８】
2009196752.tif 000010
【図９】
2009196752.tif 000011
【図１０】
2009196752.tif 000012
【図１１】
2009196752.tif 000013
【図１２】
2009196752.tif 000014
【図１３】
2009196752.tif 000015
【図１４】
2009196752.tif 000016
【図１５】
2009196752.tif 000017
【図１６】
2009196752.tif 000018
【図１７】
2009196752.tif 000019
【図１８】
2009196752.tif 000020
【図１９】
2009196752.tif 000021
【図２０】
2009196752.tif 000022
【図２１】
2009196752.tif 000023
【図２２】
2009196752.tif 000024
【図２３】
2009196752.tif 000025
【図２４】
2009196752.tif 000026
【図２５】
2009196752.tif 000027